(57)【要約】【課題】複数の車載機能に関しタッチパネル及びメカスイッチの操作を併用して設定や指示等を行うものにあって、ユーザにとって操作箇所を判りやすくする。【解決手段】タッチパネル１６を有するモニタ１５の下辺部に、エアコン用メカスイッチ１９及びエスカッションスイッチ２０を有する第１エリア１８を設け、左辺部に、オーディオ用メカスイッチ２２及びエスカッションスイッチ２３を有する第２エリア２１を設け、右辺部に、ナビゲーション用メカスイッチ２５及びエスカッションスイッチ２６を有する第３エリア２４を設ける。いずれかのエスカッションスイッチ２０、２３、２６が操作されてモニタ１５の表示が機能用の画面に切替えられた際に、各機能に対応したアイコン２７、２８、２９と共に、デザインライン２７ａ、２８ａ、２９ａを表示する。【選択図】図２
2011218909.tif 000002
【特許請求の範囲】
【請求項１】
車室内に設けられ、タッチパネルを有したモニタと複数のメカスイッチとを備え、複数の車載機能に関し、それらタッチパネル及びメカスイッチの操作によって設定や指示等を行う車載用操作表示装置において、
前記複数のメカスイッチは、前記車載機能毎にグループ化され、前記モニタの周囲部に沿ってそれらグループ毎に割当てられたエリアに夫々配設されると共に、前記各エリアには、前記モニタの表示を、該当するグループの車載機能用の画面に切替える指示を行うためのエスカッションスイッチを含んでおり、
前記モニタに表示される車載機能用の画面には、該モニタの周囲のうち当該車載機能に対応したメカスイッチが配設されているエリアを、該画面中の操作部と視覚的に関連付けるデザインの表示がなされることを特徴とする車載用操作表示装置。
【請求項２】
前記複数の車載機能には、エアコン機能、オーディオ機能、ナビゲーション機能のうち、少なくともいずれか２種類又は３種類全部が含まれることを特徴とする請求項１記載の車載用操作表示装置。
【発明の詳細な説明】
【技術分野】
【０００１】
本発明は、車室内に設けられ、タッチパネルを有したモニタと複数のメカスイッチとを備え、複数の車載機能に関し、それらタッチパネル及びメカスイッチの操作によって設定や指示等を行う車載用操作表示装置に関する。
【背景技術】
【０００２】
近年、自動車等の車両においては、エアコン装置、オーディオ装置、ナビゲーション装置などの複数の機能を搭載したものが供されている。この場合、従来では、例えば、図５に示すように、車室内のインストルメントパネルの中央のセンタークラスタ１部分に、ＬＣＤからなるモニタ２と、複数個のメカスイッチからなるスイッチ群３とを集中配置し、モニタ２の画面部分に設けられたタッチパネル（タッチスクリーン）４と前記スイッチ群３の各種メカスイッチとを併用して、上記３種類の各機能に関する設定や指示入力等を行うように構成されている。尚、モニタ２の画面には、通常時には、例えばナビゲーション機能における現在地周辺の地図表示画面（或いは初期メニュー画面）が表示される。
【０００３】
前記スイッチ群３のメカスイッチとして、具体的には、モニタ２の左側（左辺部）には、各種エスカッションスイッチ５及びナビ用スイッチ６が設けられている。エスカッションスイッチ５は、モニタ２の表示を各機能用の画面に切替えるためのスイッチであり、エアコン機能用、オーディオ機能用、ナビゲーション機能用の３個が設けられている。また、モニタ２の右側（右辺部）には、ナビゲーション機能用の複数個のナビ用スイッチ７が設けられている。モニタ２の下側には、オーディオ機能用の複数個のオーディオ用スイッチ８が設けられている。更に、オーディオ用スイッチ８の更に下側に位置して、エアコン機能用の複数個のエアコン用スイッチ９が設けられている。
【０００４】
この場合、各機能において、メカスイッチ６〜９を設ける個数は限られるので、メカスイッチ６〜９によって設定や指示ができる項目は、代表的な（使用頻度の多い）機能のものに限られる。そして、メカスイッチ６〜９では設定できない使用頻度の比較的低い項目を選択したり、例えばナビ機能における目的地設定等、詳細な項目を階層的な操作によって選択したりするような場合には、ユーザは、３個のいずれかのエスカッションスイッチ５を操作することにより、モニタ２の画面を、所望の機能用画面に切替えた上で、タッチパネル４を操作して設定や指示を行うようになっている。
【０００５】
尚、特許文献１には、車両において、オーディオ機能、エアコン機能、電話機能、ナビゲーション機能について指示操作するための複数個の操作スイッチを、ステアリングホイールの中央部分に集中配置して設ける構成が開示されている。このとき、複数個の操作スイッチは、各機能ごとに４つのグループに分けられ、ステアリングホイールの中央部のうち左上、左下、右上、右下に夫々配置されている。そして、表示部（ヘッドアップディスプレイ）の左上、左下、右上、右下の各コーナー部に、各機能を表す図形表示を行うことにより、ステアリングホイールのどの位置にどのグループのスイッチが存在するかを教える構成が開示されている。
【先行技術文献】
【特許文献】
【０００６】
【特許文献１】特開２００７−３２６４９３号公報
【発明の概要】
【発明が解決しようとする課題】
【０００７】
しかしながら、図５に示した上記従来構成では、操作部におけるメカスイッチの増加による分散化や、操作の複雑化に伴い、ユーザが所望の指示等を行いたい場合に、特に使用頻度の少ないスイッチ操作を行うような場合、操作部のうちどこを操作すれば良いか判りにくいケースがあり、操作に時間がかかることがあった。一例をあげると、ユーザが、エアコン機能のうち、「リアエアコン」の機能をオンしたい場合がある。この「リアエアコン」機能をオンする指示は、モニタ２のエアコン機能用の画面上（タッチパネル４上）の所定の階層に設定されるアイコンをオン操作することにより行うことができる。
【０００８】
図６は、ユーザがその操作を行うに要する手順を示す流れ図である。即ち、ステップＳ１では、まず、メカスイッチ群３のうちエアコン用スイッチ９部分において「リアエアコン」のスイッチを探す。エアコン用スイッチ９部分には「リアエアコン」のメカスイッチは存在せず、見付からないので、ステップＳ２で、エアコン用スイッチ９部分に「リアエアコン」のメカスイッチはないと判断する。次のステップＳ３では、メカスイッチ群３のうち別の位置に「リアエアコン」のメカスイッチがないかどうかを探す。この場合、メカスイッチ群３の全ての領域を探したり、一度探したエアコン用スイッチ９部分をまた探したりすることにより、時間が掛かるようになる。
【０００９】
そして、ステップＳ４では、エスカッションスイッチ５部分に、エアコン機能用のエスカッションスイッチ５が存在することにユーザが気付き、このエスカッションスイッチ５を操作する。このエスカッションスイッチ５のオン操作により、ステップＳ５にて、モニタ２の画面表示が、エアコン機能用の画面に切替わるのであるが、ここでユーザが、このエアコン機能用の画面上（タッチパネル４）の操作によってもエアコン機能に関する設定、指示が可能であることに気付く。
【００１０】
この後、ステップＳ６にて、ユーザは、モニタ２のエアコン機能用の画面におけるタッチ操作によって、「リアエアコン」の設定用のアイコンを探す。このとき、各機能用の画面は、階層構造（ツリー構造）とされているので、階層的な操作により「リアエアコン」のアイコンが存在する画面を探すようにする。そして、ステップＳ７にて、「リアエアコン」のアイコンを見付け、オン操作する。このように、エアコン機能に関する操作箇所が複数箇所に分散しているため、操作性に劣ってしまう問題があったのである。
【００１１】
尚、上記特許文献１に開示されたステアリングホイールの操作スイッチは、センタークラスタ１部分に設けるスイッチに関するものではなく、また、表示装置（タッチパネル）と連携（併用）して指示等の操作を行うものではなかった。従って、特許文献１からは、上記問題点を解決するための示唆を何ら得られるものではない。
【００１２】
本発明は上記事情に鑑みてなされたもので、その目的は、複数の車載機能に関しタッチパネル及びメカスイッチの操作を併用して設定や指示等を行うものにあって、ユーザにとって操作箇所を判りやすくすることができ、操作性の向上を図ることができる車載用操作表示装置を提供するにある。
【課題を解決するための手段】
【００１３】
本発明の請求項１の車載用操作表示装置は、車室内に設けられ、タッチパネルを有したモニタと複数のメカスイッチとを備え、複数の車載機能に関し、それらタッチパネル及びメカスイッチの操作によって設定や指示等を行うものにおいて、前記複数のメカスイッチは、前記車載機能毎にグループ化され、前記モニタの周囲部に沿ってそれらグループ毎に割当てられたエリアに夫々配設されると共に、前記各エリアには、前記モニタの表示を、該当するグループの車載機能用の画面に切替える指示を行うためのエスカッションスイッチを含んでおり、前記モニタに表示される車載機能用の画面には、該モニタの周囲のうち当該車載機能に対応したメカスイッチが配設されているエリアを、該画面中の操作部と視覚的に関連付けるデザインの表示がなされるところに特徴を有する。
【発明の効果】
【００１４】
本発明の車載用操作表示装置によれば、複数のメカスイッチは、車載機能のグループ毎に割当てられたエリアに配設されているので、同一のグループの車載機能用のメカスイッチを複数箇所に分散して配置するものと異なり、ユーザが目的とする操作を行う際に、どこを探せば良いかが明確となる。従って、ユーザにとって、所望のメカスイッチが探しやすくなり、また、操作したい機能（項目）のメカスイッチが存在するかどうか、言い換えれば、エスカッションスイッチを操作してモニタの表示を機能画面に切替える必要があるかどうかの判断も、短時間で容易に行うことができる。
【００１５】
しかも、各エリアに、当該グループの車載機能用のエスカッションスイッチが設けられているので、ユーザにとって、エスカッションスイッチを探すのに手間がかかることはなく、簡単に操作することができる。そして、モニタに表示される車載機能用の画面には、該当する機能のメカスイッチが存在するエリアを視覚的に関連付けるデザインの表示がなされるのでユーザにとって、画面がどの機能（グループ）に関する画面になっているかが判りやすくなる。
【００１６】
このように、類似した機能の集合体で認知して探すというヒトの認知特性を利用し、操作箇所を探しやすいものとすることができる。この結果、本発明によれば、複数の車載機能に関しタッチパネル及びメカスイッチの操作を併用して設定や指示等を行うものにあって、ユーザにとって操作箇所を判りやすくすることができ、操作性の向上を図ることができるという優れた効果を奏する。しかも、デザイン上の工夫のみで、安価に済ませることができる。
【図面の簡単な説明】
【００１７】
【図１】本発明の一実施例を示すもので、センタークラスタ部分の正面図
【図２】モニタの表示がエアコン機能モード（ａ）、オーディオ機能モード（ｂ）、ナビゲーション機能モード（ｃ）にある様子を示す正面図
【図３】電気的構成を概略的に示すブロック図
【図４】ユーザが「リアエアコン」機能をオンしたい場合の処理の流れを示す図
【図５】従来例を示す図１相当図
【図６】図４相当図
【発明を実施するための形態】
【００１８】
以下、本発明の一実施例について、図１ないし図４を参照しながら説明する。尚、本実施例では、車両（自動車）に搭載される複数の車載機能として、図３にのみ図示するように、エアコン装置１１、オーディオ装置１２、ナビゲーション装置１３の３種類の機能を備えているものを具体例としている。これら３種類の車載機能（装置１１，１２，１３）については、周知であるので詳しい説明を省略する。
【００１９】
図１（及び図２）は、上記３種類の車載機能に関し、設定や指示等を行うための本実施例に係る車載用操作表示装置の外観構成を示している。この操作表示装置は、車両（自動車）の車室内である、センタークラスタ１４部分に、以下のように配設されている。即ち、センタークラスタ１４の上部中央部には、液晶ディスプレイからなるモニタ１５が設けられている。また、このモニタ１５の表示画面の表面部には、操作部を構成する周知構成のタッチパネル（タッチスクリーンとも言う）１６が設けられている。
【００２０】
このとき、図３に示すように、前記モニタ１５の画面表示は、後述する制御装置１７により制御され、また、前記タッチパネル１６の操作信号は、前記制御装置１７に入力されるようになっている。前記モニタ１５には、図２に一部示すような、後述する各種の車載機能用の画面が表示されると共に、通常時（ユーザによる操作がない時）には、ナビゲーション機能（ナビゲーション装置１３）における自車の現在地周辺の地図表示画面（或いは初期メニュー画面）が表示される。
【００２１】
そして、前記センタークラスタ１４のモニタ１５の周囲部分には、前記各車載機能毎にグループ化された複数個のメカスイッチが、グループ毎に割当てられたエリアに夫々配設されている。即ち、図１、図２に示すように、モニタ１５の下側には、該モニタ１５の下辺部に沿って第１エリア１８が設けられ、この第１エリア１８に、複数個のエアコン用メカスイッチ１９が配設されている。
【００２２】
詳しい説明は省略するが、前記エアコン用メカスイッチ１９には、エアコンオンオフスイッチ、風量設定スイッチ、温度設定スイッチ、内外気切替スイッチ、吹出口切替スイッチ等が含まれている。これと共に、前記モニタ１５の表示をエアコン用の機能画面に切替えるためのエアコン用エスカッションスイッチ２０が含まれている。このとき、センタークラスタ１４には、この第１エリア１８を、前記モニタ１５の下辺部との間で囲うように、角部に丸みを帯びた略コ字状をなすデザインライン１８ａが設けられている。
【００２３】
前記モニタ１５の左側には、該モニタ１５の左辺部に沿って第２エリア２１が設けられ、この第２エリア２１に、複数個のオーディオ用メカスイッチ２２が配設されている。詳しい説明は省略するが、このオーディオ用メカスイッチ２２には、オーディオオンオフスイッチ、メディア（ラジオ、テレビ、音楽ＣＤ、映像ＤＶＤ）選択スイッチ、音量調整スイッチ等が含まれていると共に、前記モニタ１５の表示をオーディオ用の機能画面に切替えるためのオーディオ用エスカッションスイッチ２３が含まれている。センタークラスタ１４には、この第２エリア２１を、前記モニタ１５の左辺部との間で囲うように、角部に丸みを帯びた略コ字状をなすデザインライン２１ａが設けられている。
【００２４】
前記モニタ１５の右側には、該モニタ１５の右辺部に沿って第３エリア２４が設けられ、この第３エリア２４に、複数個のナビゲーション用メカスイッチ２５が配設されている。詳しい説明は省略するが、このナビゲーション用メカスイッチ２５には、目的地設定スイッチ、地図縮尺選択スイッチ、ルート案内開始スイッチ、施設検索スイッチ等が含まれていると共に、前記モニタ１５の表示をナビゲーション用の機能画面に切替えるためのナビゲーション用エスカッションスイッチ２６が含まれている。センタークラスタ１４には、この第３エリア２４を、前記モニタ１５の右辺部との間で囲うように、角部に丸みを帯びた略コ字状をなすデザインライン２４ａが設けられている。
【００２５】
さて、図３は、本実施例に係る車載用操作表示装置の、前記制御装置１７を中心とした電気的構成を概略的に示している。前記制御装置１７は、ＣＰＵ（コンピュータ）を主体として構成され、上記したようにモニタ１５の必要な画面表示を制御すると共に、前記エアコン用メカスイッチ１９、オーディオ用メカスイッチ２２、ナビゲーション用メカスイッチ２５からの入力、及び、前記タッチパネル１６からの入力信号に基づいて、前記エアコン装置１１、オーディオ装置１２、ナビゲーション装置１３を制御する（制御信号を出力する）ようになっている。
【００２６】
このとき、前記制御装置１７は、前記エアコン用エスカッションスイッチ２０がオン操作されたときには、モニタ１５の表示をエアコン機能用の画面（エアコン機能モード）に切替える（図２（ａ）参照）。また、前記オーディオ用エスカッションスイッチ２３がオン操作されたときには、モニタ１５の表示をオーディオ機能用の画面（オーディオ機能モード）に切替え（図２（ｂ）参照）、前記ナビゲーション用エスカッションスイッチ２６がオン操作されたときには、モニタ１５の表示をナビゲーション機能用の画面（ナビゲーション機能モード）に切替える（図２（ｃ）参照）。
【００２７】
これら各機能用（モード）の画面においては、アイコンと称される各種の項目（キー）が設定され、操作部が構成される。ユーザは、タッチパネル１６上でそれらアイコンをタッチ操作することにより、メカスイッチ１９、２２、２５では設定できない使用頻度の比較的低い項目を選択したり、例えばナビ機能における目的地設定等、詳細な項目を階層的な操作（いわゆるツリー構造とされた選択画面）によって選択したりすることができる。つまり、ユーザは、複数の車載機能に関し、メカスイッチ１９、２２、２５の操作と、エスカッションスイッチ２０、２３、２６の操作に伴う各モード画面におけるタッチパネル１６のタッチ操作とを併用して設定や指示等を行うようになっている。
【００２８】
具体的には、図２（ａ）に示すように、エアコン機能モードにおいては、モニタ１５には、風量設定キー、吹出口切替キー、空気清浄機能キー、リアエアコン（後席）キー等の複数のエアコン用アイコン２７が表示（設定）される。そして、これと共に、モニタ１５には、複数個のエアコン用メカスイッチ１９が配設されている第１エリア１８と、該モニタ１５内の複数のエアコン用アイコン２７とを視覚的に関連付けるように、デザインライン２７ａの表示がなされる。
【００２９】
このデザインライン２７ａは、モニタ１５の画面のうち、エアコン用アイコン２７の配置領域（操作部）を、該モニタ１５の下辺部との間で囲うように、角部に丸みを帯びた略コ字状をなしている。このとき、デザインライン２７ａの端部が、前記第１エリア１８に設けられたデザインライン１８ａの端部とつながることにより、エアコン用アイコン２７及びエアコン用メカスイッチ１９の配設部分全体を四角い枠で囲むように設けられる。また、図示はしていないが、モニタ１５の画面のうちデザインライン２７ａの内側と外側とで色彩を異ならせており、ユーザに対して、デザインライン２７ａの内部（エアコン用アイコン２７の配置領域）と、前記第２エリア２１及び第３エリア２４とが、隔離した印象を与えるようになっている。
【００３０】
同様に、図２（ｂ）に示すように、オーディオ機能モードにおいては、モニタ１５には、複数のオーディオ用アイコン２８が表示（設定）されると共に、オーディオ用アイコン２８の配置領域（操作部）を囲うようにデザインライン２８ａの表示がなされる。このデザインライン２８ａは、前記第２エリア２１に設けられたデザインライン２１ａとつながることにより、オーディオ用アイコン２８及びオーディオ用メカスイッチ２２の配設部分全体を四角い枠で囲むように設けられる。また、図示はしていないが、モニタ１５の画面のうちデザインライン２８ａの内側と外側とで表示の色彩を異ならせている。
【００３１】
更に，図２（ｃ）に示すように、ナビゲーション機能モードにおいては、モニタ１５には、複数のナビゲーション用アイコン２９が表示（設定）されると共に、ナビゲーション用アイコン２９の配置領域（操作部）を囲うようにデザインライン２９ａの表示がなされる。同様に、このデザインライン２９ａは、前記第３エリア２４に設けられたデザインライン２４ａとつながることにより、ナビゲーション用アイコン２９及びナビゲーション用メカスイッチ２５の配設部分全体を四角い枠で囲むように設けられる。また、図示はしていないが、モニタ１５の画面のうちデザインライン２９ａの内側と外側とで表示の色彩を異ならせている。
【００３２】
このように、いずれかのエスカッションスイッチ２０、２３、２６が操作されてモニタ１５の表示が、エアコン用、オーディオ用、ナビゲーション用のいずれかの機能用（モード）の画面に切替えられた際には、各機能に対応したアイコン２７、２８、２９と共に、デザインライン２７ａ、２８ａ、２９ａ等が表示される。これにより、モニタ１５の周囲のうち当該車載機能に対応したメカスイッチ１９、２２、２５が配設されているエリア１８、２１、２４を、該画面中の操作部（アイコン２７、２８、２９）と視覚的に関連付ける、つまり、モニタ１５の画面に現在表示されているアイコン２７、２８、２９が、どのメカスイッチ１９、２２、２５と同じグループの車載機能用であることが視覚的に判るようなデザインの表示がなされるのである。
【００３３】
次に、上記構成の作用について、図４も参照して述べる。上記構成の車載用操作表示装置においては、センタークラスタ１４部分に、モニタ１５（タッチパネル１６）及びメカスイッチ１９、２２、２５を集中配置されており、ユーザは、メカスイッチ１９、２２、２５とタッチパネル１６とを併用して、エアコン機能、オーディオ機能、ナビゲーション機能の３種類の機能に関する設定や指示入力を行うように構成されている。
【００３４】
この場合、本実施例では、従来のものと異なり、複数のメカスイッチ１９、２２、２５は、車載機能毎にグループ化されており、モニタ１５の周辺部に沿って割当てられた第１、第２、第３エリア１８、２１、２４に夫々配設され、しかも、各エリア１８、２１、２４には、当該グループの車載機能用のエスカッションスイッチ２０、２３、２６が設けられている。
【００３５】
これにより、ユーザが目的とするメカスイッチ１９、２２、２５の操作を行う際に、どこを探せば良いかが明確となる。従って、ユーザにとって、所望のメカスイッチ１９、２２、２５が探しやすくなり、また、操作したい機能（項目）のメカスイッチ１９、２２、２５が存在するかどうか、言い換えれば、エスカッションスイッチ２０、２３、２６を操作してモニタ１５の表示を機能画面に切替える必要があるかどうかの判断も、短時間に容易に行うことができる。更に、ユーザにとって、エスカッションスイッチ２０、２３、２６を探すのに手間がかかることはなく、簡単に操作することができる。
【００３６】
そして、エスカッションスイッチ２０、２３、２６がオン操作されたときに、モニタ１５に表示される各車載機能（モード）用の画面には、デザインライン２７ａ、２８ａ、２９ａにより、上記のように、モニタ１５の画面に現在表示されているアイコン２７、２８、２９が、どのメカスイッチ１９、２２、２５と同じグループの車載機能用であることが視覚的に判るようなデザインの表示がなされる。従って、ユーザにとって、モニタ１５の画面がどの機能（グループ）に関する画面（モード）になっているかが判りやすくなり、この結果、例えば使用頻度の少ないスイッチ操作を行うような場合でも、操作を短時間で行うことが可能となった。
【００３７】
一例をあげると、従来技術で述べたと同様に、ユーザが、エアコン機能のうち、「リアエアコン」の機能をオンしたい場合がある。この「リアエアコン」機能をオンする指示は、モニタ１５のエアコン機能用の画面上（タッチパネル１６上）に設定されるエアコン用アイコン２７のリアエアコン（後席）キーをオン操作することにより行うことができる。図４は、ユーザがその操作を行うに要する手順を示す流れ図である。
【００３８】
即ち、ステップＳ１１では、まず、ユーザは、エアコン用メカスイッチ１９が配設されている第１エリア１８において「リアエアコン」のスイッチを探す。ここで、第１エリア１８において「リアエアコン」のスイッチは存在せず、見付からないので、ステップＳ１２にて、ユーザは、「リアエアコン」のメカスイッチはないと判断すると共に、エアコン用エスカッションスイッチ２０を容易に見付け、そのエスカッションスイッチ２０を操作する。
【００３９】
すると、ステップＳ１３では、図２（ａ）に示すように、モニタ１５の表示が、エアコン機能モードの画面に切替わる。このとき、エアコン機能モードの画面においては、複数個のエアコン用アイコン２７が表示（設定）されると共に、デザインライン２７ａが表示されるので、ユーザは、現在、モニタ１５がエアコン機能に関する画面モードとなっており、タッチパネル１６の操作によってエアコン機能に関する設定や指示を行うことができることを容易に理解する。
【００４０】
そして、ステップＳ１４では、このエアコン機能モードの画面において、ユーザが、必要に応じて画面内階層操作を行うことにより、エアコン用アイコン２７のなかから「リアエアコン」の設定用のアイコンを探し、ステップＳ１５にて、見つけた「リアエアコン」のアイコンをオン操作する。これにて、従来に比べて極めて短時間で「リアエアコン」のアイコンを探すことができ、エアコン装置１１において、「リアエアコン」の機能がオンされるようになる。このように、類似した機能の集合体で認知して探すというヒトの認知特性を利用し、操作箇所を探しやすいものとすることができるのである。
【００４１】
このような本実施例によれば、エアコン機能、オーディオ機能、ナビゲーション機能の３種類の機能に関し、タッチパネル１６及びメカスイッチ１９、２２、２５の操作を併用して設定や指示等を行うものにあって、ユーザにとって操作箇所を判りやすくすることができ、操作性の向上を図ることができるという優れた効果を得ることができる。しかも、ユーザにとっての認知性向上のために、特別な制御を採用したり、構成の複雑化を招いたりすることもなく、デザイン上の工夫のみで簡単且つ安価に済ませることができる。
【００４２】
尚、上記した一実施例では、車載機能として、エアコン機能、オーディオ機能、ナビゲーション機能の３種類について、操作部をセンタークラスタ１４部分に集中配置するようにしたが、そのうち、２種類の車載機能について、操作部をセンタークラスタ１４部分に集中配置するようにしても良い。また、上記した３種類の車載機能以外にも、車載電話の機能やそれ以外の通信機能など、他の機能に関して適用しても良い。
【００４３】
さらに、モニタ１５の各機能モードの画面における、当該車載機能に対応したメカスイッチが配設されているエリア１８、２１、２４を画面中の操作部と視覚的に関連付けるデザインの表示についても、四角形の枠状のライン２７ａ、２８ａ、２９ａを設けることに限らず、種々のデザインが考えられ、この場合、各エリア或いはメカスイッチのボタンをグループ毎に色で塗り分け、モニタ画面の背景色によって関連付けるといったことも可能である。その他、エリアの割当てや、メカスイッチの配置、画面上のアイコンの配置等についても様々な変形が可能であるなど、本発明は要旨を逸脱しない範囲内で適宜変更して実施し得るものである。
【符号の説明】
【００４４】
図面中、１１はエアコン装置、１２はオーディオ装置、１３はナビゲーション装置、１４はセンタークラスタ、１５はモニタ、１６はタッチパネル、１７は制御装置、１８は第１エリア、１８ａ，２１ａ，２４ａはデザインライン、１９はエアコン用メカスイッチ、２０はエアコン用エスカッションスイッチ、２１は第２エリア、２２はオーディオ用メカスイッチ、２３はオーディオ用エスカッションスイッチ、２４は第３エリア、２５はナビゲーション用メカスイッチ、２６はナビゲーション用エスカッションスイッチ、２７，２８，２９はアイコン、２７ａ，２８ａ，２９ａはデザインラインを示す。
【図１】
2011218909.tif 000003
【図２】
2011218909.tif 000004
【図３】
2011218909.tif 000005
【図４】
2011218909.tif 000006
【図５】
2011218909.tif 000007
【図６】
2011218909.tif 000008